(57)【要約】【課題】　テープカセットのローディング/アンローディング動作時、ローディング/アンローディング動作が完了されない状態でテープカセットハウジングの開閉動作が止まることを抑えられるテープレコーダのテープカセットハウジングのロッキング装置を提供する。【解決手段】　テープカセットのローディング動作時デッキシャーシ側に弾力的に密着されるテープカセットハウジングをデッキシャーシに固定させるようハウジング及びデッキシャーシ各々の一側に相互対向して設けられる係止溝と、外周面に少なくとも一つ以上の角部が形成されたロック突起を含み、ロック突起が係止溝に挿入される直前に角部の終端が係止溝の縁部に接触される。【選択図】　　　図７ 
2004134071.tif 000002
【特許請求の範囲】
【請求項１】
　デッキシャーシと、
　テープカセットハウジングと、
　該テープカセットハウジングをロッキングさせるロッキング装置を含み、
　前記ロッキング装置は、
　ロッキングレバーと、
　該ロッキングレバーに形成されたロック溝と、
　前記テープカセットハウジングが前記デッキシャーシ上でロッキングされる時、前記ロック溝の縁部と接触されるよう少なくとも一つの角が外周面に形成されたロック突起とを含むことを特徴とするテープレコーダのデッキ。
【請求項２】
　前記ロック突起は、前記デッキシャーシの一部を切除した後前記デッキシャーシの内側方向に曲げることによって形成されることを特徴とする請求項１に記載のテープレコーダのデッキ。
【請求項３】
　前記ロック突起の少なくとも一つの角は、前記デッキシャーシの内側方向に約９０°曲がった前記ロック突起の上端をさらに含むことを特徴とする請求項２に記載のテープレコーダのデッキ。
【請求項４】
　前記ロック突起の少なくとも一つの角は、前記デッキシャーシの内側方向に約９０°曲がった前記ロック突起の側端をさらに含むことを特徴とする請求項２に記載のテープレコーダのデッキ。
【請求項５】
　前記ロック突起の少なくとも一つの角と前記ロック溝の前記縁部とが接触された後前記ロック溝と前記ロック突起とが結合されることによって前記テープカセットハウジングがロッキングされることを特徴とする請求項２に記載のテープレコーダのデッキ。 
【請求項６】
　前記ロッキングレバーはロッキング解除突起を含み、
　前記デッキシャーシはロッキング解除スイッチとロッキング解除レバーを含み、
　前記テープカセットハウジングのロッキング解除は、前記テープカセットハウジングがロッキングされた状態で、前記ロッキング解除突起と接触される前記ロッキング解除レバーが、前記ロック突起が前記ロック溝から分離されるよう前記ロッキング解除スイッチの摺動によってロッキング位置からロッキング解除位置に回動されることによってなされることを特徴とする請求項１に記載のテープレコーダのデッキ。
【請求項７】
　前記ロッキングレバーは第１ヒンジによって前記テープカセットハウジングの一側にヒンジ結合され、前記テープカセットハウジングが前記デッキシャーシについて弾力的に昇降されることを許す弾性部材によって第１リンク部材と連結され、限定突起と第２ヒンジによって所定範囲内にその回動が限定されることを特徴とする請求項１に記載のテープレコーダのデッキ。
【請求項８】
　テープレコーダのテープカセットハウジング用ロッキング装置に使用されるロッキングレバーにおいて、
　前記ロッキングレバーに形成されたロック溝を含み、
　前記テープカセットハウジングがデッキシャーシにロッキングされる時、ロック突起の外周面に形成される少なくとも一つの角が前記ロック溝の縁部に接触されることを特徴とするロッキングレバー。
【請求項９】
　前記ロック突起は、前記デッキシャーシの一部を切除し曲げることによって形成されることを特徴とする請求項８に記載のロッキングレバー。
【請求項１０】
前記ロック溝は、前記縁部が前記少なくとも一つの角と接触された後前記ロック突起と結合されることによって前記テープカセットハウジングをロッキングさせることを特徴とする請求項８に記載のロッキングレバー。
【請求項１１】
　ロッキング解除突起をさらに含み、
　前記デッキシャーシはロッキング解除スイッチとロッキング解除レバーを含み、 
　前記テープカセットハウジングのロッキング解除は、前記テープカセットハウジングがロッキングされた状態で、前記ロッキング解除突起と接触される前記ロッキング解除レバーが、前記ロック突起がロック溝から分離されるよう前記ロッキング解除スイッチの摺動によってロッキング位置からロッキング解除位置に回動されることによってなされることを特徴とする請求項８に記載のロッキングレバー。
【請求項１２】
　第１ヒンジによって前記テープカセットハウジングの一側にヒンジ結合され、前記テープカセットハウジングが前記デッキシャーシについて弾力的に昇降されることを許す弾性部材によって第１リンク部材と連結され、限定突起と第２ヒンジによって所定範囲内にその回動が限定されることを特徴とする請求項８に記載のロッキングレバー。
【請求項１３】
　テープカセットのテープカセットハウジングのロッキング方法において、
　前記テープカセットハウジングの上部面をデッキシャーシ方向に降下されるよう加圧する段階と、
　第１リンク部材の下端が上昇する方向に第２ガイド突起に沿って第２リンク部材を回動させる段階と、
　前記ロッキングレバーのガイド面が前記ロック突起の前記ロック突起の一側に形成された角に沿って前記角が前記ロッキングレバーの前記ロック溝に密着されるまで摺動され前記テープカセットハウジングが前記デッキシャーシに密着されることを許容するよう、前記第１及び第２リンク部材が相補的に回動され前記デッキシャーシの第１ガイド突起を第１リンク部材の下端の第１ガイドレールに摺動結合させる段階と、
　前記ロッキングレバーに連結された弾性部材が伸張されるよう前記ロッキングレバーを第３ヒンジを基準に回動させる段階と、
　前記テープカセットハウジングが前記デッキシャーシと接触され前記ロック突起が前記ロック溝に挿入されるよう前記弾性部材を復元させて前記テープカセットハウジングをロッキングさせる段階とを含むことを特徴とするテープカセットハウジングのロッキング方法。
【請求項１４】
　ロッキングレバーと、
　該ロッキングレバーに形成されるロック溝と、
　少なくとも一つの角が外周面に形成されたロック突起を含み、 
　前記少なくとも一つの角は前記テープカセットハウジングが前記デッキシャーシにロッキングされる間に前記ロック溝の縁部と接触されることを特徴とするテープレコーダのテープカセットハウジング用ロッキング装置。
【請求項１５】
　前記ロック突起は前記デッキシャーシの一部を切除して前記デッキシャーシの内側方向に曲げることによって形成されることを含むことを特徴とする請求項１４に記載のテープレコーダのテープカセットハウジング用ロッキング装置。
【請求項１６】
　前記ロック突起の前記少なくとも一つの角は、前記デッキシャーシの内側に向かって約９０°曲がった前記ロック突起の上端をさらに含むことを特徴とする請求項１５に記載のテープレコーダのテープカセットハウジング用ロッキング装置。 
【請求項１７】
　前記ロック突起の前記少なくとも一つの角は、前記デッキシャーシの内側に向かって約９０°曲がった前記ロック突起の側端をさらに含むことを特徴とする請求項１５に記載のテープレコーダのテープカセットハウジング用ロッキング装置。 
【請求項１８】
　前記ロック突起の少なくとも一つの角と前記ロック溝の前記縁部が接触された後前記ロック溝と前記ロック突起とが結合されることによって前記テープカセットハウジングがロッキングされることを特徴とする請求項１５に記載のテープレコーダのテープカセットハウジング用ロッキング装置。
【請求項１９】
　ロッキングレバーはロッキング解除突起をさらに含み、
　前記デッキシャーシはロッキング解除スイッチとロッキング解除レバーを含み、
　前記テープカセットハウジングのロッキング解除は、前記テープカセットハウジングがロッキングされた状態で、前記ロッキング解除突起と接触される前記ロッキング解除レバーが、前記ロック突起がロック溝から分離されるよう前記ロッキング解除スイッチの摺動によってロッキング位置からロッキング解除位置に回動されることによってなされることを特徴とする請求項１４に記載のテープレコーダのテープカセットハウジング用ロッキング装置。
【請求項２０】
　前記ロッキングレバーは第１ヒンジによって前記テープカセットハウジングの一側にヒンジ結合され、前記テープカセットハウジングが前記デッキシャーシについて弾力的に昇降されることを許す弾性部材によって第１リンク部材と連結され、限定突起と第２ヒンジによって所定範囲内にその回動が限定されることを特徴とする請求項１４に記載のテープレコーダのテープカセットハウジング用ロッキング装置。
【発明の詳細な説明】
【技術分野】
【０００１】
　本発明はテープレコーダに係り、さらに詳しくはテープカセットのローディング動作時デッキシャーシに弾力的に密着されるテープカセットハウジングをそのデッキシャーシにロッキングさせるためのロッキング装置及びその方法に関する。
【背景技術】
【０００２】
　通常、ビデオテープレコーダ(ＶＴＲ)、デジタルオーディオテープ(ＤＡＴ)、カムコーダなどのようにデッキメカニズムを有するテープレコーダは磁気テープに音声及び映像情報などを記録/再生する装置である。
【０００３】
　図１は前記テープレコーダのうちカムコーダのムービングデッキ１００を示した図であって、同図によればテープレコーダのムービングデッキ１００はデッキシャーシ１１０と、テープカセットハウジング１２０と、テープカセットハウジング１２０をデッキシャーシ１１０にロッキングさせるロッキング装置１９０を含む。示した通り、主にカムコーダに採用されるムービングデッキ１００の場合、デッキシャーシ１１０はメインシャーシ１１１と、磁気テープローディング/アンローディング時メインシャーシ１１１上で往復摺動するサブシャーシ１１２を含む。
【０００４】
　テープカセットハウジング１２０はその内部にテープカセットを着脱自在に収納でき、その両側面にヒンジ結合された第１及び第２リンク部材１６０、１７０がサブシャーシ１１２に摺動自在に結合されることによってサブシャーシ１１２に昇降自在に搭載される。
【０００５】
　ロッキング装置１９０はロック突起１９５と、ロック突起１９５に対応する係止溝１９７と、ハウジング１２０の一側にヒンジ結合されたロッキングレバー１９１を含む。ロッキングレバー１９１は弾性部材１８０によって第１リンク部材１６０に連結される。ロック突起１９５は通常的にロッキングレバー１９１の側面に円筒形に突出形成され、ロッキングレバー１９１の側面をドローイング処理して形成させたり、別のローラ部材(図示せず)を回転自在にロッキングレバー１９１の側面に設けることによって形成される。係止溝１９７はサブシャーシ１１２の側面一部を切除することによってサブシャーシ１１２と一体に形成される。
【０００６】
　以下、前述したように構成されたテープレコーダのテープカセットローディング及びアンローディング動作について簡略に説明する。
【０００７】
　まず、テープカセットのローディング動作は、テープカセットが挿入されたテープカセットハウジング１２０をサブシャーシ１１２方向に押えて、図２に示した通り、ロッキングレバー１９１のロック突起１９５を係止溝１９７に挿入させることによってなされる。一方、テープカセットのアンローディング動作は、サブシャーシ１１２上に回動自在に設けられたロッキング解除レバー１１７がロッキングレバー１９１の終端に形成されたロッキング解除突起１９３をロック突起１９５が係止溝１９７から離脱される方向に加圧することによって、ロック突起１９５が係止溝１９７から分離されると同時に、弾性部材１８０の弾性復元力によって第１及び第２リンク部材１６０、１７０が回動されることによってサブシャーシ１１２から離隔される方向にテープカセットハウジング１２０が上昇することによって完了される。
【０００８】
　前述したように構成された従来のテープレコーダは、図３に示した通り、テープカセットのローディング/アンローディング動作時ロック突起１９５が係止溝１９７の縁部１９７ａに係っている状態でテープカセットハウジング１２０の昇降動作が止まる場合が度々発生する問題点がある。これは、図４に示した通り、ロック突起１９５と係止溝１９７の縁部１９７aの内部で相互対応して作用する応力が平衡状態になる接触地点において、ロック突起１９５と係止溝１９７の縁部１９７ａが接触されることから発生する。このような死点はロック突起１９５と縁部１９７ａの接触時間が延びる程さらに発生し易い。これにより、テープカセットのローディング/アンローディング動作時ロック突起１９５と縁部１９７ａの接触時間を縮められる技術が求められる。
【発明の開示】
【発明が解決しようとする課題】
【０００９】
　本発明は前述した問題点を解決するために案出されたもので、その目的はテープカセットのローディング/アンローディング動作時その動作が完了されない状態でテープカセットハウジングの昇降動作が止まることを抑えるため、その構造が改善されたテープレコーダのテープカセットハウジングロッキング装置を提供するところにある。
【課題を解決するための手段】
【００１０】
　前述した目的を達成するための本発明に係るテープレコーダのテープカセットハウジングロッキング装置は、ロッキングレバーと、該ロッキングレバーに形成されるロック溝と、少なくとも一つの角が外周面に形成されたロック突起を含み、前記少なくとも一つの角は前記テープカセットハウジングが前記デッキシャーシにロッキングされる中に前記ロック溝の縁部と接触されることを特徴とする。
【００１１】
　本発明の好ましい実施例によれば、前記ロック突起は前記デッキシャーシの一部を切除して前記デッキシャーシの内側方向に曲げることによって形成されることが好ましい。
【００１２】
　そして、前記ロック突起の前記少なくとも一つの角は、前記デッキシャーシの内側に向かって約９０°曲がった前記ロック突起の上端または側端を含むことが好ましい。
【００１３】
　この場合、前記ロック突起の少なくとも一つの角と前記ロック溝の前記縁部が接触された後前記ロック溝と前記ロック突起がと結合されることによって前記テープカセットハウジングがロッキングされることが好ましい。
【００１４】
　一方、ロッキングレバーはロッキング解除突起をさらに含み、前記デッキシャーシはロッキング解除スイッチとロッキング解除レバーを含み、前記テープカセットハウジングのロッキング解除は、前記テープカセットハウジングがロッキングされた状態で、前記ロッキング解除突起と接触される前記ロッキング解除レバーが前記ロック突起がロック溝から分離されるよう前記ロッキング解除スイッチの摺動によってロッキング位置からロッキング解除位置に回動されることによってなされることが好ましい。
【００１５】
　そして、前記ロッキングレバーは第１ヒンジによって前記テープカセットハウジングの一側にヒンジ結合され、前記テープカセットハウジングが前記デッキシャーシについて弾力的に昇降されることを許容する弾性部材によって第１リンク部材と連結され、限定突起と第２ヒンジによって所定範囲内にその回動が限られることがさらに好ましい。
【発明の効果】
【００１６】
　以上述べた通り、本発明はテープカセットのローディング/アンローディング動作時ロック突起と係止溝の縁部間に線接触がなされることによって、ローディング/アンローディング動作が完了されない状態でテープカセットハウジングの昇降動作が止まることを抑えられる利点がある。
【発明を実施するための最良の形態】
【００１７】
　以下、添付した図面に基づき本発明の好ましい実施形態を詳述する。一方、本発明の実施形態を説明するにあたって図１ないし図４に示しかつ説明された従来のテープレコーダの構成要素と同一な構成及び機能を有する構成要素は従来と同一な参照符号を付し、その詳細な説明は省く。
【００１８】
　図５を参照すれば、本発明の実施形態によるテープレコーダのムービングデッキ１００はデッキシャーシ１１０と、テープカセットハウジング１２０と、テープカセットハウジングロッキング装置２００を含む。
【００１９】
　デッキシャーシ１１０はメインシャーシ１１１と、サブシャーシ１１２を含む。メインシャーシ１１１にはローディングモータ１３０及びキャプスタン駆動部１４０などが設けられ、サブシャーシ１１２には一対のリールテーブル１５０などが設けられる。
【００２０】
　テープカセットハウジング１２０は内部にテープカセット(図示せず)が着脱自在に収納され、その両側面に回動自在に設けられた第１及び第２リンク部材１６０、１７０がサブシャーシ１１２に摺動自在に装着されることによってサブシャーシ１１２上に昇降自在に設けられる。第１リンク部材１６０はテープカセットハウジング１２０に第１ヒンジ１６３によってヒンジ結合される。第１リンク部材１６０それぞれは連結部材１６５によってその上端が相互連結され、第１ガイドレール１６１が第１リンク部材１６０の各々の下端に形成される。第１ガイドレール１６１はテープカセットハウジング１２０をサブシャーシ１１２に装着する時サブシャーシ１１２の第１ガイド突起１１５に摺動自在に結合される。第２リンク部材１７０は第１リンク部材１６０に第２ヒンジ１７３によってヒンジ結合される。第２リンク部材１７０の下端のそれぞれにはサブシャーシ１１２の装着孔１１３に挿着される装着突起１２５が形成され、その上端にはテープカセットハウジング１２０の両側面に突出形成された第２ガイド突起１２１が挿入される第２ガイドレール１７１が形成される。ここで、第２ヒンジ１７３は第２リンク部材１７０から所定高さに突出して形成されることが望ましく、それに対する説明は後述する。
【００２１】
　ロッキング装置２００はロック突起２２０と、ロッキングレバー２１０及び係止溝２３０を含む。ロック突起２２０はデッキシャーシ１１０と一体に形成され、少なくとも一つ以上の角部２２０ａを有する。これは、外周面に角ができた部分が少なくとも一つ以上形成されるよう非円形横断面を有するロック突起２２０を形成させることによって達成される。本実施例におけるロック突起２２０はサブシャーシ１１２の一側を切開した後、その切開された部分を再びサブシャーシ１１２の内側方向に折り曲げさせることによって形成される。これにより、ロック突起２２０の左右両側には角部２２０ａが形成される。このようにロック突起２２０をサブシャーシ１１２と一体に形成させる場合、従来のようにロッキングレバー１９１(図１参照)を比較的に複雑な工程であるドローイング処理したり、別のローラ部材(図示せず)を設けなくても簡単に形成させうる。この際、ロック突起２２０はテープカセットのローディング動作時後述する係止溝２３０に挿入される直前に結合溝２３０の縁部２３０ａと角部２２０ａが接触できる形状に形成されるべきである。
【００２２】
　ロッキングレバー２１０は第３ヒンジ２１２によってテープカセットハウジング１２０の一側にヒンジ結合される。ロッキングレバー２１０の上端は第１リンク部材１６０と弾性部材１８０によって連結される。このような弾性部材１８０によって、サブシャーシ１１２に密着/離隔される方向へのテープカセットハウジング１２０の昇降動作が弾力的になされる。一方、ロッキングレバー２１０の一側面にはテープカセットのローディング動作時ロック突起２２０が挿入されることによってテープカセットハウジング１２０をサブシャーシ１１２に密着されたままロッキングさせる係止溝２３０が形成される。係止溝２３０の縁部２３０ａはロッキングレバー２１０の下端から延びて形成されたガイド面２１７と連結される。そして、ロッキングレバー２１０はテープカセットハウジング１２０の側面に突出形成された規制突起１２７と、第２リンク部材１７０から所定高さに突出される第２ヒンジ１７３によってその回動範囲が決定される。これによれば、弾性部材１８０の弾性力によるロッキングレバー２１０の過渡な回動が抑えられる。一方、ロッキングレバー２１０の下端にはロッキング解除突起２１３が突出形成される。ロッキング解除突起２１３はテープカセットハウジング１２０のロッキング時サブシャーシ１１２上に回動自在に設けられたロッキング解除レバー１１７の終端と接触され、その動作に対する詳細な説明は後述する。
【００２３】
　以下、前述した通り構成された本発明の実施形態によるテープカセットハウジングのローディング/アンローディング動作を添付した図面に基づき詳述する。
【００２４】
　テープカセットのローディング動作は、テープカセットハウジング１２０の上面をユーザーがデッキシャーシ１１０側に加圧することによりなされる。このような外力によって第１リンク部材１６０の下端が上昇する方向に第２リンク部材１７０が第２ガイド突起１２１を沿って回動される。第１リンク部材１６０の下端がサブシャーシ１１２の第１ガイド突起１１５に挿着されている状態なので、このようなリンク部材１６０、１７０相互間の動作によってテープカセットハウジング１２０をサブシャーシ１１２に密着させうるようになる。
【００２５】
　このようにテープカセットハウジング１２０がサブシャーシ１１２上に密着されるよう降下すれば、図６に示した通り、ロッキングレバー２１０のガイド面２１７がロック突起２２０の側面にその終端が角のできるように形成された角部２２０ａと接触するようになる。この状態でテープカセットハウジング１２０が降下し続ければ、ロック突起２２０の角部２２０ａに沿って係止溝２３０側にガイドされていてからガイド面２１７と係止溝３０の境界である係止溝２３０の縁部２３０ａと接触するようになる。ここで、ガイド面２１７が傾斜して形成されるため、ロッキングレバー２１０が第３ヒンジ２１２を回転中心にして図６に示された矢印方向に回動するようになって弾性部材１８０の内部には弾性復元力が発生する。これにより、テープカセットハウジング１２０がサブシャーシ１１２に完全に密着されれば、ロッキングレバー２１０が弾性部材１８０の弾性復元力によって図６に示された矢印方向と逆方向に回動するようになってロック突起２２０が係止溝２３０に挿入される。この際、図７に示した通り、角部２２０ａと縁部２３０ａは相互線接触を行なうことによって接触面積が従来に比べて縮小されるだけではなく接触時間も短縮されるため、従来のようにテープカセットハウジング１２０の移動が停止される死点の発生を抑えられる。
【００２６】
　一方、テープカセットの取出がユーザーの操作によって選択されれば、ロッキング解除スイッチ１３５はその一側に設けられたロード１３５ａが所定長さ以上突出されるよう駆動する。このようなロッキング解除スイッチ１３５の駆動によって、サブシャーシ１１２に回動自在に設けられたロッキング解除レバー１１７がロッキングレバー２１０の終端に突出して形成されたロッキング解除突起２１３をロック突起２２０が係止溝２３０から離脱される方向に加圧するよう回動する。このようにロッキング解除突起２１３がロッキング解除レバー１１７によって加圧されることによってロッキングレバー２１０が図６に示された矢印方向に回動されロック突起２２０が係止溝２３０から離脱された後、弾性部材１８０の弾性復元力によってテープカセットハウジング１２０が自ら上昇すると同時に、規制突起１２７によってその回動が規制されるまでロッキングレバー２１０が回動されることによってテープカセットのアンローディング動作が完了される。
【００２７】
　前述したように構成され動作されるテープカセットハウジングロッキング装置２００は必ず本実施形態の場合だけに限らない。すなわち、テープカセットのローディング/アンローディング動作時係止溝２３０の縁部２３０ａにロック突起２２０の角部２２０ａが接触できるよう構成すれば、係止溝２３０とロック突起２２０は勿論、ロッキングレバー２１０の設置位置及び形状に対する多様な変形実施が可能であろう。
【００２８】
　図８ないし図１０は本発明の他の実施形態によるテープカセットハウジングロッキング装置２００'を有するテープレコーダのデッキ１００を示した図である。本実施形態におけるテープカセットハウジングロッキング装置２００はロック突起２２０の形状が変り、テープカセットハウジング１２０のロッキング時ロッキング解除突起２１３'がロッキング解除スイッチ１３５と直接接触されることによってロッキング解除レバー１１７(図５参照)の設置が排除された点だけ除けば、前述した実施例の場合と殆んど同じである。
【００２９】
　特に、ロック突起２２０'の場合、デッキ１００の内側方向に向かって折り曲げられたロック突起２２０'の側端がテープカセットハウジング１２０のロッキング時テープレコーダの係止溝２３０'に挿入されるよう構成された点において、ロック突起２２０の上端が内側方向に向かって折り曲げられる前述した構成と区別される。
【００３０】
　このようにロック突起２２０'の折曲部位及び折曲方向を変更する場合、係止溝２３０とロック突起２２０の頻繁な接触によってロック突起２２０はその上端が上昇するよう形状が変形されることによって、ロック突起２２０'と係止溝２３０'の不整合が抑えられる効果がある。
【００３１】
　その他のデッキ１００の構成要素及び作動状態は前述した実施例と同様なので、ここではそれに対する詳細な説明は省略する。
【００３２】
　以上、本発明を説明するにあたって、たとえムービングデッキ１００を採用したカムコーダの場合にだけ限定して説明したとしても、デッキシャーシ１１０に弾力的に密着/離隔されるテープカセットハウジング１２０を採用した場合ならば、必ずムービングデッキを採用しなくてもビデオテープレコーダなどのように違う種類のテープレコーダにも適用できることは勿論である。
【００３３】
　以上のように説明された本発明によれば、テープカセットのローディング/アンローディング動作時係止溝とロック突起相互間の干渉によってローディング/アンローディング動作が完了されない状態でテープカセットハウジングの昇降動作が止まる現象を防げる効果がある。
【００３４】
　以上、本発明を本発明の原理を例示するための好ましい実施例について示しかつ説明したが、本発明はそのように図示し説明されたそのままの構成及び作用に限られない。むしろ、特許請求の範囲の思想及び範疇を逸脱せず本発明に対する多様な変更及び修正が可能であることを当業者らはよく理解できろう。従って、そのような全ての適切な変更と修正及び均等物も本発明の範囲に属することと見做されるべきである。
【産業上の利用可能性】
【００３５】
　本発明はビデオテープレコーダ(ＶＴＲ)、デジタルオーディオテープ(ＤＡＴ)、カムコーダなどのようにデッキメカニズムを有し、磁気テープに音声及び映像情報などを記録/再生する装置であるテープレコーダに適用可能である。
【００３６】
　すなわち、デッキシャーシと、該デッキシャーシに弾力的な密着の可能なテープカセットハウジングと、前記デッキシャーシに弾力的に密着されるテープカセットハウジングを固定させるロッキング装置を備えるテープレコーダならその適用が可能であり、よってテープカセットハウジングの開閉が円滑になされるようにする。 
【図面の簡単な説明】
【００３７】
【図１】従来のカムコーダのムービングデッキを概略的に示す分離斜視図である。
【図２】図１のテープカセットハウジングがデッキシャーシにロッキングされた状態を示す側面図である。
【図３】図１のテープカセットハウジングがデッキシャーシに安着される作動状態を示す側面図である。
【図４】図３のＡ部分を抜粋拡大して示す側面図である。
【図５】本発明の第１実施形態によるムービングデッキを概略的に示す分離斜視図である。
【図６】図５のテープカセットハウジングがデッキシャーシに安着される作動状態を示す側面図である。
【図７】図６のＢ部分を抜粋拡大して示す斜視図である。
【図８】本発明の第２実施形態によるムービングデッキを概略的に示す分離斜視図である。
【図９】図８のテープカセットハウジングがデッキシャーシに安着される作動状態を示す側面図である。
【図１０】図９のC部分を抜粋拡大して示す斜視図である。
【符号の説明】
【００３８】
１００　デッキ　　　
１１０　デッキシャーシ
１１１　メインシャーシ　　　　　　　　　　　　　
１１２、１１２'　サブシャーシ
１１３　装着孔　　　　　　　　　　　　　　　 
１１５　第１ガイド突起
１１７　ロッキング解除レバー
１２０　テープカセットハウジング
１２１　第２ガイド突起
１２５　装着突起
１２７　規制突起
１３０　ローディングモータ
１４０　キャプスタン駆動部
１５０　リールテーブル
１６０　第１リンク部材
１６１　第１ガイドレール　　　　　　　　　　　
１６３　第１ヒンジ
１６５　連結部材
１７０　第２リンク部材
１７１　第２ガイドレール　　　　　　　　　　 
１７３　第２ヒンジ
１８０　弾性部材
２００、２００'　ロッキング装置　　　　　　　　
２１０、２１０'　ロッキングレバー
２１２　第３ヒンジ
２１３、２１３'　ロッキング解除突起　　　　　 
２１７、２１７'　ガイド面
２２０、２２０'　ロック突起　　　　　　　　　　
２２０ａ、２２０ａ'　角部
２３０、２３０'　係止溝　　　　　　　　　　　 
２３０ａ、２３０ａ’　縁部
【図１】
2004134071.tif 000003
【図２】
2004134071.tif 000004
【図３】
2004134071.tif 000005
【図４】
2004134071.tif 000006
【図５】
2004134071.tif 000007
【図６】
2004134071.tif 000008
【図７】
2004134071.tif 000009
【図８】
2004134071.tif 000010
【図９】
2004134071.tif 000011
【図１０】
2004134071.tif 000012